(57)【要約】【課題】  パッチワークを容易に行うことができるようにし、製作者の労力を軽減することのできるパッチワーク台を提供する。【解決手段】  平板状で、製作者の膝の上に載せることができる大きさの台板１０と、水平片２１と垂直片２２を直角に一体成形したＬ字状で、水平片２１を、台板１０の中心部に水平方向に回転自在に取付けたＬ形材２０と、水平部材３１と垂直部材３２を直角に一体成形した逆Ｌ字状で、垂直部材３２を、Ｌ形材２０の垂直片２２に垂直方向に傾動自在に取付けた逆Ｌ形材３０と、平面円形状の内環材４１とその内環材４１の外周面に着脱自在に嵌着する外環材４２を備え、内環材４１と外環材４２との間で布Ｃを挟持する環部材４０と、逆Ｌ形材３０の水平部材３１に中心部を水平方向に回転自在に取付けた正面略Ｕ字状で、その両端部を内環材４１の内面に固定したアーム５０と、で構成する。【選択図】      図１
0003118494.tif 000002
【実用新案登録請求の範囲】
【請求項１】
パッチワークを行う際に布（Ｃ）を保持するために使用するパッチワーク台であって、平板状で，腰掛けた状態のパッチワーク製作者の膝の上に載せることができる大きさの台板（１０）と、水平片（２１）と垂直片（２２）を直角に一体成形したＬ字状であり，前記水平片を，前記台板の中心部に水平方向に回転自在に取付けたＬ形材（２０）と、水平部材（３１）と垂直部材（３２）を直角に一体成形した逆Ｌ字状であり，前記垂直部材を，前記Ｌ形材の垂直片に垂直方向に傾動自在に取付けた逆Ｌ形材（３０）と、平面円形状の内環材（４１）および該内環材の外周面に着脱自在に嵌着する外環材（４２）を備え，該内環材と外環材との間で前記布を挟持する環部材（４０）と、前記逆Ｌ形材の水平部材に中心部を水平方向に回転自在に取付けた正面略Ｕ字状で，その両端部を前記内環材の内面に固定したアーム（５０）と、からなるパッチワーク台。
【請求項２】
パッチワークを行う際に布（Ｃ）を保持するために使用するパッチワーク台であって、平板状で，腰掛けた状態のパッチワーク製作者の膝の上に載せることができる大きさの台板（１０）と、水平片（２１）と垂直片（２２）を直角に一体成形したＬ字状であり，前記水平片を，前記台板の中心部に水平方向に回転自在に取付けたＬ形材（２０）と、水平部材（３１）と垂直部材（３２）を直角に一体成形した逆Ｌ字状であり，前記垂直部材を，前記Ｌ形材の垂直片に垂直方向に傾動自在に取付けた逆Ｌ形材（３０）と、平面円形状の内環材（４１）および該内環材の外周面に着脱自在に嵌着する外環材（４２）を備え，該内環材と外環材との間で前記布を挟持する環部材（４０）と、前記逆Ｌ形材の水平部材に中心部を水平方向に回転自在に取付けた正面略Ｕ字状で，その両端部を前記内環材の内面に固定したアーム（５０）と、からなり、前記台板の上面周端部の一部に，位置決め用のマーク（１１）を記載してなるパッチワーク台。
【考案の詳細な説明】
【技術分野】
【０００１】
本考案は、パッチワーク（色や大きさの異なる種々の布を継ぎ合わせて、変化に富む模様を作り出す手芸）を行う際に布を保持し、当該パッチワークが容易に行えるようにするパッチワーク台に関するものである。
【背景技術】
【０００２】
従来から、あらゆる形状や色彩の布を継ぎ合わせて変化に富む模様を作り出すパッチワークが、趣味あるいは職業として多くの人々によって行われている。このパッチワークによって作られる製品は多く、例えば、バッグ、巾着、ポーチ、コースター、鍋つかみ等がある。これらは商品として一般に市販されている。
【考案の開示】
【考案が解決しようとする課題】
【０００３】
しかし、このパッチワークは多数の布を手作業で継ぎ合わせるといった作業を必要とするため、一つの製品を仕上げるのに多大な労力を必要としている。
【０００４】
本考案はこうした点に鑑み創案されたもので、パッチワークをより容易に行うことができるようにし、製作者の労力を軽減することのできるパッチワーク台を提供することを課題とする。
【課題を解決するための手段】
【０００５】
図１乃至図６を参照して説明する。請求項１に記載の考案は、パッチワークを行う際に布Ｃを保持するために使用するパッチワーク台１であって、平板状で、腰掛けた状態のパッチワーク製作者の膝の上に載せることができる大きさの台板１０と、水平片２１と垂直片２２を直角に一体成形したＬ字状であり、前記水平片２１を、前記台板１０の中心部に水平方向に回転自在に取付けたＬ形材２０と、水平部材３１と垂直部材３２を直角に一体成形した逆Ｌ字状であり、前記垂直部材３２を、前記Ｌ形材２０の垂直片２２に垂直方向に傾動自在に取付けた逆Ｌ形材３０と、平面円形状の内環材４１および当該内環材４１の外周面に着脱自在に嵌着する外環材４２を備え、当該内環材４１と外環材４２との間で前記布Ｃを挟持する環部材４０と、前記逆Ｌ形材３０の水平部材３１に中心部を水平方向に回転自在に取付けた正面略Ｕ字状で、その両端部を前記内環材４１の内面に固定したアーム５０と、からなるものである。
【０００６】
請求項２に記載の考案は、パッチワークを行う際に布Ｃを保持するために使用するパッチワーク台１であって、平板状で、腰掛けた状態のパッチワーク製作者の膝の上に載せることができる大きさの台板１０と、水平片２１と垂直片２２を直角に一体成形したＬ字状であり、前記水平片２１を、前記台板１０の中心部に水平方向に回転自在に取付けたＬ形材２０と、水平部材３１と垂直部材３２を直角に一体成形した逆Ｌ字状であり、前記垂直部材３２を、前記Ｌ形材２０の垂直片２２に垂直方向に傾動自在に取付けた逆Ｌ形材３０と、平面円形状の内環材４１および当該内環材４１の外周面に着脱自在に嵌着する外環材４２を備え、当該内環材４１と外環材４２との間で前記布Ｃを挟持する環部材４０と、前記逆Ｌ形材３０の水平部材３１に中心部を水平方向に回転自在に取付けた正面略Ｕ字状で、その両端部を前記内環材４１の内面に固定したアーム５０と、からなり、前記台板１０の上面周端部の一部に、位置決め用のマーク１１を記載してなるものである。
【考案の効果】
【０００７】
請求項１に記載のパッチワーク台１は、台板１０にＬ形材２０を水平方向に回転自在に取付け、そのＬ形材２０に逆Ｌ形材３０を垂直方向に傾動自在に取付け、環部材４０を、水平方向に回転自在のアーム５０を介して逆Ｌ形材３０に取付けたので、環部材４０に挟持した布Ｃを水平方向に自在に回転させ、また、垂直方向に自在に傾けることができる。従って、布Ｃを作業し易い位置に自在に配置することができ、パッチワークが容易となる。
【０００８】
また、このパッチワーク台１は、その台板１０を製作者の膝の上に載せるので、膝を動かすことによって、その高さを頻繁かつ微妙に調節することができる。従って、パッチワークをさらに容易に行うことができる。
【０００９】
さらに、このパッチワーク台１は、製作者の膝の上に載せることのできる大きさの台板１０、Ｌ形材２０、逆Ｌ形材３０、環部材４０で構成するので、小型で構成も簡易である。従って、持ち運び等の取扱いが容易であり、きわめて実用性に優れる。
【００１０】
請求項２に記載のパッチワーク台１は、請求項１に記載の考案と同様に、環部材４０に挟持した布Ｃを水平方向に自在に回転させると共に、垂直方向に自在に傾動することができ、さらに、その高さも微妙かつ頻繁に調節することができるので、パッチワークを容易に行うことができる。また、小型で取扱いが容易である。
【００１１】
また、このパッチワーク台１は、台板１０の上面周端部に位置決め用のマーク１１を記載しているので、例えば、このマーク１１を製作者の身体に近い側に位置させることによって、布Ｃの方向を決定し、この方向に従って布Ｃを継ぎ合わせ、所望の模様、形状あるいは文字などを形成することができる。これにより、パッチワークをさらに容易に行うことができる。
【考案を実施するための最良の形態】
【００１２】
本考案に係るパッチワーク台１の実施形態を、図１乃至図６に示す。これは、パッチワーク（キルティングや刺繍を含む）を行う際に布Ｃを緊張状態で保持するために使用するパッチワーク台１であり、台板１０、Ｌ形材２０、逆Ｌ形材３０、環部材４０、およびアーム５０で形成される。
【００１３】
台板１０は、円形平板状で、パッチワーク製作者の膝の上に載せることができる大きさ（約３０ｃｍ）である。Ｌ形材２０は、水平片２１と垂直片２２を直角に一体成形したＬ字状であり、その水平片２１を、台板１０の中心部に水平方向に回転自在に取付けている。この取付けは、台板１０から立設した立設ボルト１２に蝶ナット２３を螺合することによって行っている。
【００１４】
逆Ｌ形材３０は、水平部材３１と垂直部材３２を直角に一体成形した逆Ｌ字状であり、当該垂直部材３２を、Ｌ形材２０の垂直片２２に垂直方向に傾動自在に取付けている。この傾動は、垂直部材３２と垂直片２２の一方端部に軸部材３４を設けて軸止し、垂直部材３２の他方端部に長穴３５を穿設すると共に、垂直片２２のそれに対向する部分に雌ネジ２４を刻設し、垂直部材３２側から蝶ボルト３３を螺合することによって行っている。
【００１５】
環部材４０は、長尺状で幅狭の平板を湾曲して形成した平面円形状の内環材４１と、同じく幅狭の平板を湾曲して形成し、内環材４１の外周面に着脱自在に嵌着する外環材４２とで形成している。なお、外環材４２は、平面円形状の一部に切離部を有するもので、その切離部を蝶ネジ４３とナット部材４４と支持部材４５とで縮径および拡径自在に接合している。すなわち、蝶ネジ４３を緩めることによって外環材４２の径が大きくなり、逆に、締めることによって小さくなる。
【００１６】
アーム５０は、逆Ｌ形材３０の水平部材３１にその中心部を、垂直軸棒５１によって回転自在に取付けた正面略Ｕ字状で、その両端部を内環材４１の内面に固定している。そして、台板１０の上面周端部の一部に、位置決め用のマーク１１を記載している。
【００１７】
本実施形態に係るパッチワーク台１は、次のようにして使用する。まず、台板１０を膝の上に載せた後、外環材４２を内環材４１から離脱させ、内環材４１の上から布Ｃを被せる。次に、その上から外環材４２を嵌着し、内環材４１と外環材４２の間に布Ｃを挟んだ状態で緊張状態に保持する。このとき、外環材４２は、蝶ネジ４３を緩めてその径を大きくして内環材４１から離脱する。また、嵌着後は、蝶ネジ４３を締めて外環材４２の内周面を内環材４１の外周面に布Ｃを挟んで強く押し付け、布Ｃを強固に保持する。
【００１８】
こうした状態で、パッチワークを行い、必要に応じてＬ形片を水平方向に回転させ、垂直部材３２を垂直方向に傾動させ、またアーム５０を水平方向に回転させることによって、布Ｃをパッチワークを行い易い最適の位置に自在に配置する。また、膝を微妙に動かすことによって、当該パッチワーク台１の高さや向きを自在に微調整する。こうすることによって、布Ｃを常に最適な位置に配置することができるので、パッチワークを容易に行うことができる。
【００１９】
また、パッチワークによっては上下左右の方向を位置決めして模様や文字等を形成する場合があるが、その際には、台板１０の上に形成したマーク１１を、例えば、製作者側に配置した状態でパッチワークを行う。これによって、模様や文字等を正確な配置で容易に形成することができる。
【００２０】
本考案に係るパッチワーク台は、腰掛けた状態で机の上に置いても使用出来るし、座った状態で机の上に置いて使用することも出来る。
【図面の簡単な説明】
【００２１】
【図１】本考案に係るパッチワーク台の実施形態を示す正面図である。
【図２】図１に示すパッチワーク台の背面図である。
【図３】図１に示すパッチワーク台の左側面図である。
【図４】図１に示すパッチワーク台の右側面図である。
【図５】図１に示すパッチワーク台の平面図である。
【図６】図１に示すパッチワーク台において、外環材を外した状態を示す平面図である。
【符号の説明】
【００２２】
１        パッチワーク台
１０      台板
１１      マーク
１２      立設ボルト
２０      Ｌ形材
２１      水平片
２２      垂直片
２３      蝶ナット
２４      雌ネジ
３０      逆Ｌ形材
３１      水平部材
３２      垂直部材
３３      蝶ボルト
３４      軸部材
３５      長穴
４０      環部材
４１      内環材
４２      外環材
４３      蝶ネジ
４４      ナット部材
４５      支持部材
５０      アーム
５１      垂直軸棒
Ｃ        布
【図１】
0003118494.tif 000003
【図２】
0003118494.tif 000004
【図３】
0003118494.tif 000005
【図４】
0003118494.tif 000006
【図５】
0003118494.tif 000007
【図６】
0003118494.tif 000008